(57)【特許請求の範囲】
【請求項１】
所定のサイズを有する化粧品組成物のケーキを受け入れるコンパクトであって、
上部リムを有すると共に上方に開いたチャンバを画成する直立壁を備えた、剛性フレームと、
前記チャンバに受け入れられるように寸法決めされたパンであって、床と該床から上端部まで上向きに延在する側壁を有し、前記床及び前記側壁が前記ケーキを受け入れて保持するための上向きの開口部を備えた容器を画成し、前記パンが弾性材料で作られると共に前記ケーキの前記所定のサイズよりも小さい第1の容積を有する前記容器に向かって弾性的に付勢され、前記容器が前記第1の容積から前記ケーキを該容器に挿入できるのに十分な大きさの第2の容積へと拡張するように、前記パンが拡張する手段によって拡張されるように適合され、前記パンが前記拡張する手段から解除されると、前記容器が前記第1の容積へと収縮して前記挿入されたケーキをしっかりと保定する、パンと、
前記パンが前記容器の前記第2の容積へと拡張するのに十分に適応する遊びが、少なくとも前記フレームと前記側壁との間に画成されるようにして、前記パンを前記チャンバ内で固定するための、前記側壁から前記直立壁まで延在する水平フランジと、を備えているコンパクト。
【請求項２】
前記拡張する手段が機械的手段である請求項1に記載のコンパクト。
【請求項３】
前記機械的手段が、前記容器に挿入されるエキスパンダ及びスプレッダのうちの一つである請求項2に記載のコンパクト。
【請求項４】
前記機械的手段が外側に引っ張ることができる前記パンの外部構造である請求項2に記載のコンパクト。
【請求項５】
前記拡張する手段が前記ケーキによる圧力嵌めである請求項1に記載のコンパクト。
【請求項６】
前記フランジが、前記側壁の前記上端部と一体的に形成されると共に前記上端部から外側に延在し、前記フレームの前記上部リムに密閉的に固定され、前記拡張する手段が前記チャンバに印加される真空である請求項1に記載のコンパクト。
【請求項７】
前記フレームが底壁を有し、該フレームのポート及び該底壁のポートのうちの少なくとも一つを通して真空が前記チャンバに印加されている請求項6に記載のコンパクト。
【請求項８】
前記フレームが開いた底部を有し、前記フレームの前記直立壁の下部リムが真空源に対して気密に封止するように適合され、前記開いた底部を通して前記チャンバに真空が印加されている請求項6に記載のコンパクト。
【請求項９】
前記真空源が真空テーブル又は真空コンベヤベルトのうちの一つから選択されている請求項8に記載のコンパクト。
【請求項１０】
摩擦嵌め、スナップ嵌め、溶接、接合、二重射出成形、オーバーモールディング、及びかしめのうちの少なくとも一つによって、前記フランジが前記フレームの前記上部リムに密閉的に固定されている請求項6に記載のコンパクト。
【請求項１１】
前記パンの前記開口部を覆う閉位置から、前記パンの前記開口部を通して前記ケーキにアクセスできる開位置へと選択的に移動可能なカバーを更に備えている請求項1に記載のコンパクト。
【請求項１２】
前記フランジから垂下するスカートを更に備え、前記フランジ及び前記スカートのうちの少なくとも一つによって、前記側壁の前記上端部が前記フレームの前記上部リムに固定されている請求項1に記載のコンパクト。
【請求項１３】
前記フランジから垂下するスカートと、該スカートから内側に突出するビーズとを更に備え、前記フランジ、前記スカート、及び前記ビーズのうちの少なくとも一つによって前記パンが前記フレームに固定されている請求項1に記載のコンパクト。
【請求項１４】
前記フランジから垂下するスカートと、前記スカートから外側に突出するビーズとを更に備え、前記フランジ、前記スカート、及び前記ビーズのうちの少なくとも一つによって、前記パンが前記フレームに密閉的に固定されている請求項1に記載のコンパクト。
【請求項１５】
前記フランジ及び前記スカートのうちの少なくとも一つが、前記カバーが前記閉位置にあるときに前記パンと前記カバーの間にシールを形成するように適合されている請求項12に記載のコンパクト。
【請求項１６】
前記直立壁にある少なくとも一つの真空チャネルを更に備え、該真空チャネルが前記チャンバからの排気を容易にするように適合されている請求項6に記載のコンパクト。
【請求項１７】
前記チャンバの下端部を閉じるように前記フレームの下部リムに連結された底壁と、前記直立壁及び前記底壁のうちの少なくとも一つにある真空ポートとを更に備え、前記真空ポートを通して前記チャンバに真空を選択的に印加し得る請求項6に記載のコンパクト。
【請求項１８】
前記直立壁又は前記底壁のうちの少なくとも一つにある真空チャネルを更に備え、前記チャネルが、前記真空ポートと流体連通していると共に前記チャンバからの排気を容易にするように適合されている請求項17に記載のコンパクト。
【請求項１９】
チャンバを画成するフレームを有するコンパクトケース内で所定のサイズを有するケーキ状化粧品を固定する方法であって、
前記ケーキの前記所定のサイズよりも小さい第1の容積へと付勢されるケーキ保定容器を画成する床及び側壁を有し、前記容器に前記ケーキを挿入できるのに十分な大きさの第2の容積へと前記容器が拡張可能であるように適合されるエラストマーのパンを、前記ケース内に設けるステップと、
前記第1の容積から前記第2の容積へと前記エラストマーのパンを拡張する手段を設けるステップと、
前記第1の容積から前記第2の容積へと前記エラストマーのパンを拡張するため、前記拡張する手段を使用するステップと、
前記ケーキを前記容器に挿入するステップと、
前記パンを前記拡張する手段から解除するステップであって、前記容器が前記第1の容積へと収縮して、前記挿入されたケーキをしっかりと保定するステップと、を含んでいる方法。
【請求項２０】
所定のサイズを有する化粧品組成物のケーキを受け入れるコンパクトであって、
上部リム及び下部リムを有すると共に上方に開いたチャンバを画成する直立壁を備えた、剛性フレームと、
前記チャンバに受け入れられるように寸法決めされたパンであって、床と該床から上端部まで上向きに延在する側壁を有し、該床及び該側壁が前記ケーキを受け入れて保持するための上向きの開口部を備えた容器を画成し、前記パンが弾性材料で作られると共に前記ケーキの前記所定のサイズよりも小さい第1の容積を有する前記容器に向かって弾性的に付勢され、前記容器が前記第1の容積から前記ケーキを該容器に挿入できるのに十分な大きさの第2の容積へと拡張するように、前記パンが拡張する手段によって拡張されるように適合され、前記パンが前記拡張する手段から解除されると、前記容器が前記第1の容積へと収縮して前記挿入されたケーキをしっかりと保定する、パンと、
前記パンが前記容器の前記第2の容積へと拡張するのに十分に適応する遊びが、少なくとも前記フレームと前記側壁との間に画成されるようにして前記パンを前記チャンバ内で前記フレームに固定する手段と、を備えている、コンパクト。
【請求項２１】
前記固定する手段が前記パンから前記フレームまで外側に延在するフランジである請求項20に記載のコンパクト。
【請求項２２】
前記フランジが前記側壁から前記直立壁まで延在している請求項21に記載のコンパクト。
【請求項２３】
前記フランジが前記側壁の前記上端部から前記直立壁の前記上部リムまで延在している請求項22に記載のコンパクト。
【請求項２４】
前記固定する手段が、スタッド、リブ、ビーム、アーム、ウェブ、及び支柱のうちの少なくとも一つである請求項20に記載のコンパクト。
【請求項２５】
所定のサイズを有する化粧品生成物のケーキを、上部リム及び下部リムを有すると共に上方に開いたチャンバを画成する直立壁を備えた剛性フレームを有するコンパクト内に受け入れるための、前記チャンバに受け入れられるように寸法決めされたパンであって、
床と該床から上端部まで上向きに延在する側壁を備え、該床及び該側壁が前記ケーキを受け入れて保持するための上向きの開口部を備えた容器を画成し、前記パンが弾性材料で作られると共に前記ケーキの前記所定のサイズよりも小さい第1の容積を有する前記容器に向かって弾性的に付勢され、前記容器が前記第1の容積から前記ケーキを該容器に挿入できるのに十分な大きさの第2の容積へと拡張するように、前記パンが拡張する手段によって拡張されるように適合され、前記パンが前記拡張する手段から解除されると、前記容器が前記第1の容積へと収縮して前記挿入されたケーキをしっかりと保定するパン。
【発明の詳細な説明】
【技術分野】
【０００１】
本発明の技術分野は化粧品のパッケージングであり、詳細には、固形粉末、ケーキタイプ、又は固体の化粧品を保管して分与するためのパンを備えた化粧用コンパクトである。パンはエラストマーであり、拡張して組付け中にケーキを受け入れる。
【背景技術】
【０００２】
ワッカー(Wacker)への米国特許第1,735,482号は、本体、フレーム、及びフレーム内に圧入された化粧品を支えるパン形状のベースを備えたコンパクトを開示している。パンは弾性ではない。マーフィー(Murphy)らへの米国特許第4,337,859号は、カバー、及び空洞を画成するケーシングを備えたコンパクトを開示している。カバーは閉じており、ケーシングは、底部を通して空洞を充填するために反転させられる。弾性のパンは存在せず、ケーキは空洞内で形成される。
【発明の概要】
【発明が解決しようとする課題】
【０００３】
本発明は、化粧品の成形済みケーキを挿入するために一時的に拡張される容器を有するパンを備えた化粧用コンパクトを提供することを目的とする。
【課題を解決するための手段】
【０００４】
本発明の化粧用コンパクトにおける容器は、ケーキのサイズよりも小さいサイズまで、弾性的に付勢される。ケーキが挿入された後、容器はより小さいサイズへと収縮し、その結果、ケーキを捕捉してコンパクト内でしっかりと保定する。パンはエラストマー材料から作られる。パンは、例えば、パンの裏面及び側壁に真空を印加することによって、拡張又は伸展させることができる。容器は、ケーキよりも大きいサイズまで一時的に拡張される。化粧用ケーキが拡張された容器内に落とし込まれた後、真空が解除され、パンは、その拡張していない小さいサイズへと戻り、したがって、ケーキが捕捉され、コンパクト内のパンの中でしっかり保定される。
【０００５】
本発明に対するいくつかの利点がある。生産充填ライン上でケーキを挿入する間、拡張したパンよりも僅かに小さいケーキは容器内へと直ちに落とし込まれ、真空が解除されてパンが拡張していないサイズへと戻ることができると、パン内で固定され得る。この工程は、比較的緩やかであって、スカッフィング、引っ掻き、割れ、若しくは崩れなど、製品の損失又は損傷が回避される。例えば、エラストマーのタイプ及び厚さ、構造細部などに基づいて、拡張していないパンによってケーキに加えられる力の量が選択可能である。更に、化粧用ケーキの所定のサイズは、パン内の容器のより小さい初期のサイズよりも大きいので、ケーキが(例えば、揮発性の蒸発、溶剤又は水の損失によって)時間と共に縮んだ場合、エラストマーのパンの容器はケーキと共に縮んで、ケーキのサイズのいかなる低減をも補う。エラストマーのパンはまた、衝撃吸収体のように作用する。好ましい実施形態では、パンは、外壁との間の遊びを伴って「浮遊」するか又は吊り下げられる。したがって、ケーキ化粧品がエラストマーのパン内で固定されたコンパクトは、より激しい衝撃に耐えることができ、落下試験に耐える能力が向上する。また、パンと共に一体的に成形され、パンから延在するフランジは、カバーとコンパクトのフレーム、シェル、又はベースとの間のエラストマーシールとして役立つことができる。パンのあらゆる平面図形状が可能である。例えば、対応する容器を備えたパンは、平面図において、円形、正方形、長方形、又は他の任意の適切な形状であってもよい。本発明は、固体、固形粉末などを含む任意の形態の通常のケーキ化粧品又はパーソナルケア製品を保持することと関連付けられたコンパクトパンとして使用されてもよく、並びにスティック、バー、ブレット(bullet)、又はポマードを保定する、スティック状の化粧品、パーソナルケア製品、及び口紅の繰出し器具(lipstick risers)に使用されるものなど、カップ状のホルダに使用されてもよい。
【図面の簡単な説明】
【０００６】
【図１】蓋が開いており、ケーキがエラストマーのパンの拡張に先立ってパンの上方の位置にある、本発明のコンパクトの第1の実施形態を示す側面断面図である。
【図２】真空が下方から印加されてパンの容器を拡張させ、ケーキが容器に部分的に挿入されている、図1に示されるコンパクトの側面断面図である。
【図３】ケーキが完全に容器内にあり、真空が解除され、容器がそのより小さいサイズへと収縮してケーキを捕捉している、図1及び図2に示されるコンパクトの側面断面図である。
【図４Ａ】本発明の第2の実施形態を示す部分断面詳細図である。
【図４Ｂ】本発明の第2の実施形態を示す部分断面詳細図である。
【図４Ｃ】本発明の第2の実施形態を示す部分断面詳細図である。
【図５】本発明の第3の実施形態を示す部分断面詳細図である。
【図６】本発明の第4の実施形態を示す部分断面詳細図である。
【図７】底部が閉じているコンパクトの一実施形態を示す側面断面図である。
【図８】ケーキがエラストマーのパンの拡張に先立ってパンの上方の位置にあり、コンパクトが真空テーブル/コンベヤ上で支持されている、本発明のコンパクトの別の実施形態を示す側面断面図である。
【図９】真空が下方から印加されてパンの容器を拡張させ、ケーキが依然として挿入に先立ってエラストマーのパンの上方の位置にあり、コンパクトが真空テーブル/コンベヤ上で支持されている、図8に示されるコンパクトの側面断面図である。
【図１０】真空が依然として下方から印加されてパンの容器を拡張させ、ケーキが容器に部分的に挿入され、コンパクトが真空テーブル/コンベヤ上で支持されている、図8に示されるコンパクトの側面断面図である。
【図１１】ケーキが完全に容器内にあり、真空が解除され、容器がそのより小さいサイズへと収縮してケーキを捕捉し、コンパクトが真空テーブル/コンベヤから除去されている、図8に示されるコンパクトの側面断面図である。
【図１２】図8に示されるコンパクトの実施形態の斜視図である。
【図１３】図8に示されるコンパクトの分解組立斜視図である。
【図１４】正方形形状を例証する、本発明のコンパクトの更に別の実施形態を示す斜視図である。
【図１５】図14に示されるコンパクトの分解組立斜視図である。
【発明を実施するための形態】
【０００７】
図1〜図3を参照すると、化粧品組成物のケーキ4を受け入れるためのコンパクト2が示される。ケーキ4は、パック状の形態として示されるが、その代わりに、バー、ポマード、スティック、ブロック、ブレット、又は他の一般的な化粧品の形態であってもよい。平面図では、ケーキ4は、円形、楕円形、正方形、長方形、六角形、三角形、八角形、又は他の任意の適切な形状であってもよい。ケーキ4を含む化粧品は、カラー化粧品(例えば、アイシャドー、リップグロス、リップスティック、口紅、ファンデーションなど)、トリートメント製品(例えば、スポットリムーバ(spot remover)、セルフタナー(self-tanner)など)、保湿製品(水分補給クリーム(hydrating cream)など)、香水、又はケーキ形態で適切に提供することができる他の任意の化粧品若しくはパーソナルケア製品であってもよい。ケーキ4は、固体、固形粉末、ペースト又は半ペースト状、結晶、格子、又はワックス式、ワックスフリー、石鹸式などである他の適切な形態であってもよい。ケーキ4は、所定のサイズ、即ちケーキを作成するのに使用される製造プロセスによって決まるサイズを有する。ケーキ4は、遊離した粒子を結合剤と共に金型空洞に圧入することによって形成されるタイプのものであってもよく、又はスラリー状にされたもの若しくは乳液であってもよい。最終形態はまた、射出成形、注型成形、押出し及び切断、打抜き、パンチング、又は他の適切な製造手段、及びそれらの組合せによって達成されてもよい。
【０００８】
コンパクト2は、上部リム10及び下部リム12を有する直立壁8を備えた剛性フレーム6を備える。カバー14は、コンパクトの内容物へのアクセスが可能になる(図示の)開位置から、コンパクトの内容物を覆う閉位置(図示せず)へと揺動することができるようにして、ヒンジ16によってフレーム6に枢動可能に取り付けられる。ヒンジの代わりに、カバーは、スナップ嵌め又は協働するねじ山(図示せず)などによって取り付けることができる。直立壁8は、下部リム12によって画成される下端部42と共に、上方に開いたチャンバ18を画成する。
【０００９】
パン20は、チャンバ18内にあるパンの部分の外側とチャンバ18の内側との間に遊び34を伴って、パン20のその部分の拡張を可能にして、チャンバ18に受け入れられるように寸法決めされて提供される。パン20は、床22と、床22から上端部26まで上向きに延在する側壁24とを有する。床22及び側壁24は、上端部26に上向きの開口部30を備えた容器28を画成する。容器28は、ケーキ4を受け入れ保持するように適合される。パン20は、弾性材料から作られ、ケーキ4の所定のサイズよりも小さい第1の容積を有する容器28に向かって弾性的に付勢される。パン20は、容器28が第1の容積から、ケーキ4の所定のサイズを容器28内へと挿入できるのに十分な大きさの第2の容積へと拡張するように、拡張する手段によって拡張されるように更に適合される。パン20が拡張する手段から解除されると、容器28は第1の容積へと収縮して、挿入されたケーキ4を捕捉し、しっかりと保持又は把持する。
【００１０】
側壁24の上端部26と一体的に形成され、そこから外側に延在する水平フランジ32は、フレーム6の上部リム10に固定される。このように、パン20は、少なくともフレーム6の直立壁8とパン20の側壁24との間に遊び34が画成されるようにして、フレーム6のチャンバ18内で固定される。好ましくは、遊び34はパン20の床22の下方にも延在する。遊び34は、少なくともパン20の容器部分を容器28の第2の容積まで拡張させるのに十分に適応するサイズである。
【００１１】
拡張する手段は、例えば、容器を機械的に拡張するために容器に一時的に挿入される「靴べら」型のブレード(図示せず)を備えたエキスパンダ又はスプレッダなどの機械的手段であってもよい。或いは、機械的手段は、例えば、外向きのタブ、リム、スタッド、フック、ループ、又は他のデバイスなど、外側に引っ張ることができるパン20の外部構造(図示せず)を備えてもよい。
【００１２】
別の代替例として、拡張する手段はケーキ自体を含んでもよく、その場合、ケーキを容器内に圧力嵌めすることによって、ケーキを容器に収めるのに十分に容器が拡張する。
【００１３】
好ましい一実施形態では、フランジ32は、側壁24の上端部26と一体的に形成され、そこから外側に延在すると共に、フレーム6の上部リム10に密閉的に固定される。拡張する手段は、フレーム6の開いた底部42を通してチャンバ18に印加される真空である。チャンバ18に印加される真空によって、パン20がチャンバ18内で、特に遊び34内へと拡張して、ケーキの所定のサイズを容器に挿入できるのに十分な大きさである第2の容積に至る。
【００１４】
図7に示される一実施形態では、フランジ32はフレーム6の上部リム10との気密シールを形成し、底壁36は、チャンバ18が下端部では壁36によって、また上部ではパン20によって閉じられるようにして、フレーム6の下部リム12に密閉的に固定される。真空は、フレーム6のポート38を通してチャンバ18に(方向矢印40によって示されるように)印加される。真空によって、ケーキ4が容器28に挿入されている間、(図1に示されるように)パン20の容器部分が遊び34内へと拡張し、そこを一時的に少なくとも部分的に塞ぐ。
【００１５】
図1〜図3に示される好ましい実施形態では、フランジ32はフレーム6の上部リム10との気密シールを形成し、フレーム6は開いた底部42(図3に最も良く示される)を有し、下部リム12は真空源44に接して一時的に封止されるように適合される。真空源44は、例えば、テーブル又はコンベヤの下方にある真空源とフレーム6内のチャンバ18との間の(図2の方向矢印46によって示されるような)流体連通を提供する1以上のボア48を有する、真空テーブル又は真空コンベヤベルト50を含んでもよい。図1では、フレーム6の下部リム12は、真空源44の表面52と封止接触しているが、真空はまだ印加されていない。パン20は、容器28の第1の容積がケーキ4の所定のサイズよりも小さい、完全に収縮した状態のままである。パン20の下方及び横に遊び34を明確に見ることができる。図2は、真空がボア48を通してチャンバ18に印加されているパン20を示す。パン20の容器部分が拡張しているので、容器28は、ケーキ4よりも小さい第1の容積から、ケーキ4の所定のサイズを容器28に挿入できるのに十分な大きさの第2の容積へと拡大している。ケーキ4は、その最終位置へと下ろされる最中の、拡大した容器28内に部分的に位置付けられた状態で示されている。パンの底部及び側壁はそれぞれ、真空をチャンバ18に印加することによって、遊び34内へと下向き及び外向きに引き込まれている。最後に、図3は、ケーキ4が容器28に完全に挿入された、最終的に意図される状態のパン20を示しており、コンパクトは真空の印加から解除され、容器28は第1の容積へと収縮して、ケーキ4をパン内でしっかりと把持し、保持している。遊び34は再び、図1に示されるのよりも少量に見えるが、それは遊びが、容器の第1の容積よりも僅かに大きいケーキの寸法によって部分的に塞がっているためである。
【００１６】
遊び34は、真空の印加を解除した後に少なくとも部分的に回復するので、ケーキ4を収容したパン20は、パンの残りの部分と同じエラストマー材料で作られたフランジ32上で「浮遊」するか又は吊り下げられる。この構成によって、割れ又は崩れの形態の損傷からケーキ4を保護する、緩衝又は衝撃吸収効果が提供される。
【００１７】
ケーキ4は、「裸」の形態で、即ち、典型的には、コンパクトにおいて見出されるような、支持用の金属、紙、又は硬質プラスチック製のプレート、皿、トレイ、若しくはパンがない状態で、容器28に挿入されるものとして示されているが、金属、紙、又は硬質プラスチック製のプレート、皿、トレイ、若しくはパンの中又は上で支持されたケーキを同様に、本発明のエラストマーのパンの容器に挿入できることが明白であろう。実際に、本発明は、製造を改善し、(例えば、金属若しくは硬質プラスチック製のパンを排除することによって)潜在的には部品を最小化し、製造中の損傷による無駄を最小限に抑え、また、耐衝撃性を改善することによって輸送中及び使用中の耐久性を改善するため、既存のコンパクトに適合させることができる。本発明は更に、パン20がフランジ32によってフレーム6に固定されるため、また、収縮状態のパン20が、裸であってもプレート、皿、トレイ、若しくはパン内で支持されていても、ケーキ4を堅く把持するため、裸のケーキ、或いはケーキを収容した金属、紙、又は硬質プラスチック製のプレート、皿、トレイ、若しくはパンを、コンパクトケースに固定するための接着剤の必要性を排除する。ケーキを保定する接着剤の必要性を排除することによって、本発明は、接着剤を塗布するステップを排除し、それに関連する高価な接着剤塗布機器並びにプロセス(接着剤及び機器の取扱い、清掃、及び保守点検)を排除することにより、組立てプロセスを大幅に簡素化し、改善する。
【００１８】
フレーム6は、好ましくは、例えば硬質プラスチックなど、実質的に剛性がり、且つ不透過性の材料で作られる。適切な硬質プラスチックの一例はポリプロピレンであるが、他のプラスチックであってもよい。パン20は、好ましくは、例えば、サントプレーン(Santoprene)(エクソンモービル社(Exxon Mobil)の登録商標)などの熱可塑性エラストマーなど、適切なエラストマー材料から作られる。フレーム6及び/又はパン20は、射出成形などの従来の成形プロセスによって、それら個々の適切な材料から成形することができる。
【００１９】
例えば、溶接、接合、かしめ、摩擦嵌め、又はスナップ嵌めのうちの少なくとも一つによって、フランジ32をフレーム6の上部リム10に密閉的に固定することによって、それぞれを別個に成形した後、パン20をフレーム6に対して組み立てることができる。或いは、パン20及びフレーム6は、例えば、二重射出成形(bi-injection molding)又はオーバーモールディング(over-molding)に対する適合性を目的として材料が選択された場合、かかる成形によって、共に成形することができる。図1〜図3に示される実施形態では、部品を組み立て、ケーキを挿入した後、別の実施形態に関して図7に示されるような、底部パネル36を追加することができる。
【００２０】
スカート54は、フランジ32の外縁部から垂下してもよい。側壁24の上端部26は、このように、図1〜図3に示されるようなフランジ32又はスカート54のうちの少なくとも一つによって、フレーム6の上部リム10に固定されてもよい。ビーズ56は、スカート54の下端部から内側に突出してもよい。側壁24の上端部は、このように、フランジ32、スカート54、若しくはビーズ56のうちの少なくとも一つ、又はそれらの組合せによって、フレーム6の上部リム10に固定されてもよい。スカート54、又はスカート54とビーズ56の組合せによって、上部リム10の外周上にある肩部58にパン20をスナップ嵌めすることが可能になる。パン20の容器部分の真空拡張をより良好に生じさせるため、好ましくは、フランジ32、スカート54、又はビーズ56のうちの少なくとも一つは、少なくとも真空がチャンバ18に印加されたとき、フレーム6の上部リム10を気密に封止する。
【００２１】
或いは、図4A〜図4Cに示されるように、フランジ32及び/又はスカート54を、フレーム6の直立壁8の頂部又は内表面に固定することによって、パン20の側壁の上端部26をフレーム6の上部リム10に取り付けることができる。フランジ32及び/又はスカート54は、溶接、接合、かしめ、又は摩擦嵌めによって壁8に固定することができる。図5及び図6は、上部リム10の外周上にある肩部58が、フランジ32、スカート54、及びビーズ56をスナップ嵌め係合の形で受け入れる協働的構造をどのように提供するかを示している。図6は、ビーズ56を受け入れる溝59を示す。
【００２２】
フランジ32及び/又はスカート54は、カバー14が閉位置にあるときに、パン20とカバー14との間にシールを形成するように適合されてもよい。
【００２３】
本発明はまた、化粧品のケーキをコンパクトケース内で固定する方法を対象とする。ケースはチャンバを画成するフレームを有する。ケーキは所定のサイズを有する。方法は、エラストマーのパンをケースのチャンバ内に設ける第1のステップを含む。パンは、ケーキの所定のサイズよりも小さい第1の容積へと付勢される、ケーキ保定容器を画成する床及び側壁を有する。パンは、容器がケーキを容器に挿入できるのに十分な大きさである第2の容積へと拡張可能であるように適合される。方法は更に、エラストマーのパンを第1の容積から第2の容積へと拡張する手段を提供し、続いて、拡張する手段を使用して、エラストマーのパンを第1の容積から第2の容積へと拡張するステップを含む。次のステップは、ケーキを容器に挿入するステップである。最終ステップは、拡張する手段からケーキを解除するステップであり、ここで、容器が第1の容積へと収縮して、挿入されたケーキをしっかりと保持する。
【００２４】
本発明はまた、剛性フレーム及びパンを備えて、パンをフレームに固定するためのフランジ以外の手段が設けられる、上述したような所定のサイズを有する化粧品組成物のケーキを受け入れるコンパクトを対象とする。コンパクトは、上部リム及び下部リムを有する直立壁を備えた剛性フレームを備える。直立壁は上方に開いたチャンバを画成する。パンは、チャンバに受け入れられるように寸法決めされて設けられる。パンは、床と、床から上端部まで上向きに延在する側壁を有する。床及び側壁は、上向きの開口部を備えた容器を画成する。容器は、ケーキを受け入れて保持するように適合される。パンは弾性材料で作られ、ケーキの所定のサイズよりも小さい第1の容積を有する容器に向かって弾性的に付勢される。パンは、容器が第1の容積から、ケーキを容器内へと挿入できるのに十分な大きさの第2の容積へと拡張するように、拡張する手段によって拡張されるように適合される。続いて、パンが拡張する手段から解除されて、容器が第1の容積へと収縮して、挿入されたケーキをしっかりと捕捉し、保持することが可能になる。少なくともフレームと側壁との間で、パンが容器の第2の容積へと拡張するのに十分に適応する遊びが画成されるようにして、パンをチャンバ内のフレームに固定する手段が設けられる。固定する手段は、より詳細に上述したような、パンからフレームまで外側に延在するフランジを備えてもよい。フランジは側壁から直立壁まで延在してもよい。フランジは、側壁の上端部から直立壁の上部リムまで延在してもよい。或いは、フランジは、上端部と底部との間におけるパンの側壁の任意の地点から、上部リムと下部リムとの間におけるフレームの直立壁の任意の地点まで延在してもよい。フランジの代わりとして、又はフランジと組み合わせて、固定する手段は、スタッド、リブ、ビーム、アーム、ウェブ、及び支柱のうちの少なくとも一つであってもよい。
【００２５】
本発明はまた、化粧品組成物のケーキをコンパクト内に受け入れるパンを対象とする。ケーキは所定のサイズを有する。コンパクトは、上部リム及び下部リムを有する直立壁を備えた剛性フレームを有する。直立壁は上方に開いたチャンバを画成する。パンは、チャンバに受け入れられるように寸法決めされる。パンは、床と、床から上端部まで上向きに延在する側壁を備える。床及び側壁は、上向きの開口部を備えた容器を画成する。容器は、ケーキを受け入れて保持するように適合される。パンは弾性材料で作られる。パンは、ケーキの所定のサイズよりも小さい第1の容積を有する容器に向かって弾性的に付勢される。パンは、容器が第1の容積から、ケーキを容器内へと挿入できるのに十分な大きさの第2の容積へと拡張するように、拡張する手段によって拡張されるように適合される。パンが拡張する手段から解除されると、容器は、第1の容積へと収縮して、挿入されたケーキをしっかりと捕捉、保持、及び保定する。
【００２６】
本発明はまた、化粧品組成物のケーキを化粧用コンパクト内で保持するパンを対象とする。ケーキは所定のサイズを有する。パンは、床と、床から上向きに延在して、上向きの開口部を備えた容器を画成する側壁を備える。容器は、ケーキを受け入れて保持するためのものである。パンを化粧用のコンパクト内で固定する手段が提供される。パンは形状記憶高分子から作られる。パンは、容器が所定のサイズを有するケーキの挿入を可能にするのに十分な大きさの容積を有する、プログラムされた拡張構成を有する。パンは、容器がケーキの所定のサイズよりも小さい容積を有する、所定の収縮構成を有する。パンは、ケーキを容器に挿入するのに続いてパンに加えられる外部刺激に応答して、プログラムされた拡張構成から所定の収縮構成へと変化する。パンが所定の収縮構成へと変化してケーキが容器内で位置付けられると、ケーキは、収縮した容器によってしっかりと捕捉され、保持される。外部刺激は、例えば収縮包装で使用されるような、温度変化であってもよい。温度変化は、パンの床及び/又は側壁に加えられる熱若しくは冷熱のうちの一つを含んでもよい。温度変化は、流体浴若しくはガス流のうちの少なくとも一つ、又はそれらの組合せによってもたらされてもよい。或いは、外部刺激は、電気、磁気、光、高周波、マイクロ波、又は放射線のうちの少なくとも一つ若しくは組合せから選択されてもよい。例えば、ケーキを容器に挿入した後に、パンをプログラムされた拡張構成から所定の収縮構成へと変えるため、マイクロ波エネルギーがパンに印加されてもよい。このように、パンの容器の収縮構成にケーキが捕捉され保持される。
【００２７】
図8〜図13は、コンパクト102が平面図において円形である(図12〜図13を参照)、本発明の別の実施形態を示す。コンパクト102は、上述のフレーム6及びパン20に類似した、剛性フレーム106及びパン120を有する。フレーム106及びパン120は外側シェル60に封入される。カバー114(図12〜図13を参照)は、フレーム106ではなくシェル60に枢動可能に取り付けられる。カバー114は、コンパクトの内容物へのアクセスが可能になる(図示の)開位置から、コンパクトの内容物を覆う閉位置(図示せず)へと揺動することができるようにして、ヒンジ116によってシェル60に取り付けられる。ヒンジの代わりに、カバーは、スナップ嵌め又は協働するねじ山など(図示せず)によって取り付けることができる。
【００２８】
シェル60は、フレーム106の保護用及び/又は装飾用のハウジングを備える。図8〜図11に示されるように、シェル60の上端部64は、パン120の外向きのフランジ132を部分的に又は完全に覆う、内向きのリップ66を有してもよい。フレーム106は、上部リム110を備えた直立壁108を有する。直立壁108は、下端部119を備えた上方に開いたチャンバ118を画成する。底壁78は下端部119を閉じる。底壁78は、真空源44に対して選択的に気密に封止するように適合される。真空ポート80が底壁78に設けられる(但し、上述したように側壁108に設けられてもよい)。この実施形態では、パン120上のフランジ132は垂下するスカート154を有する。スカート154は外向きのビーズ68を有する。フランジ132及びスカート154は、フレーム106の上部リム110に接触する。シェルは、フランジ132、スカート154、及び外向きのビーズ68の形状及び寸法に対して補完的な形状及び寸法の内部支承構造70を有してもよく、それによって、支承構造は、シェル60がフレーム106に固定されると、フランジ132、スカート154、又はビーズ68のうちの少なくとも一つと共に気密シールを形成する。フレーム106は、溶接、接着、かしめ、摩擦嵌め、スナップ嵌め、又は、リベット、ピン、若しくはねじなどの締結具を必要に応じて含む他の任意の適切な取付け手段によって、シェル60に取り付けられてもよい。例えば、図示されるように、外向きの円周方向の上部リブ72及び外向きの円周方向の下部リブ74は、フレーム106の直立壁108から延在して、シェル60の内表面76に接触する。上部リブ72及び下部リブ74のうちの少なくとも一方又は両方は、例えば、溶接、接着、かしめ、摩擦嵌め、圧力嵌め、スナップ嵌め、又は、リベット、ピン、若しくはねじなどの締結具を必要に応じて含む他の適切な取付け手段によって、シェル60の内表面76に固定されてもよい。
【００２９】
図8〜図13に示される実施形態では、フランジ132(並びに/或いは別の方法として、スカート154及び/又はビーズ68)は、フレーム106の上部リム110と共に気密シールを形成する。上述したように、真空源44は、例えば、(例えば、図8〜図10の方向矢印146によって示されるように、テーブル又はコンベヤの下方にあるものとして示されるような)真空源44と流体連通しているテーブル又はコンベヤベルト150の真空ボア62を通して印加される真空を含んでもよい。遊び134は、パン120の側壁124とフレーム106の直立壁108との間に、並びにパン120の床122とフレーム106の底壁78との間に設けられる。底壁78の真空ポート80は、真空テーブル又はコンベヤ150のボア62を用いて、フレーム106内のチャンバ118と真空源44との間に流体連通を提供する。
【００３０】
図8では、フレーム106の底壁78は、真空テーブル150の表面152と封止接触しているが、真空はまだ印加されていない。パン120は、容器128の第1の容積がケーキ4の所定のサイズよりも小さい、完全に収縮した状態のままである。パン120の下方及び横に遊び134を明確に見ることができる。図9は、底壁78の真空ポート80及びテーブル150のボア62を通して真空がチャンバ118に十分に印加されているパン120を示す。パン120の容器部分が拡張しているので、容器128は、ケーキ4よりも小さい第1の容積から、ケーキ4の所定のサイズを容器128に挿入できるのに十分な大きさの第2の容積へと拡大している。パンの床122及び側壁124は、真空によって外側に引っ張られて遊び34を塞いでいる。ケーキ4は、拡張された容器128の上方に位置付けられて、挿入されるところである。図10は、ボア62を介して真空ポート80を通してチャンバ118に対して真空が十分に印加されているパン120を示しており、ケーキ4は、ケーキ4がその最終位置へと下ろされる最中の、拡大した容器128にほぼ完全に挿入されている状態で示されている。最後に、図11は、ケーキ4が容器128に完全に挿入された後の、最終的な状態のパン120を示しており、パン120は真空の印加から解除され、容器128は相対的に小さい第1の容積へと収縮して、ケーキ4をパン120内でしっかりと把持し保持している。遊び134は再び、図8に示されるものよりも少量に見えるが、それは遊び134が、容器128の第1の容積よりも僅かに大きいケーキ4の寸法によって部分的に塞がっているためである。
【００３１】
図8〜図13に示される実施形態では、フレーム106の直立壁108及びフレーム106の底壁78の内表面に真空チャネル82が設けられる(図12〜図13も参照)。真空チャネル82は、真空ポート62を通して真空が印加されたときのチャンバ118からの排気を改善し、真空が解除されたときの空気の戻りを改善する。これによって今度は、真空が印加されたときにパン120がより迅速に、且つ十分に拡大した状態に拡張することが担保され、また、真空が解除されたとき、ケーキ4の周りで容器128が収縮できるように、迅速で効率的な空気の戻りが担保される。これによって、ケーキをパンに挿入するための製造所要時間が改善される。
【００３２】
別の実施形態に関して上述したように、例えば、溶接、接合、かしめ、摩擦嵌め、又はスナップ嵌めのうちの少なくとも一つによって、フランジ132をフレーム106の上部リム110に密閉的に固定することによって、それぞれを別個に成形した後、パン120をフレーム106に対して組み立てることができる。次に、上述したように、シェル60をフレームに固定することができる。或いは、例えば、二重射出成形又はオーバーモールディングに対する適合性を目的として材料が選択された場合、かかる成形によって、パン120をフレーム106及びシェル60の一方又は両方と共に成形することができる。
【００３３】
図14〜図15は、平面図において正方形であるが、他の点では図8〜図13に示される円形の平面のものに類似している、一実施形態を示す。図14〜図15の正方形の実施形態は、上述のフレーム6及びパン20に類似した、剛性フレーム206及び弾性パン220を有するコンパクト202を含む。フレーム206及びパン220は外側シェル260に封入される。カバー214は、フレーム206ではなくシェル260に枢動可能に取り付けられる。カバー214は、コンパクトの内容物へのアクセスが可能になる(図示の)開位置から、コンパクトの内容物を覆う閉位置(図示せず)へと揺動することができるようにして、ヒンジ216によってシェル260に取り付けられる。ヒンジの代わりに、カバーは、スナップ嵌め又は協働するねじ山など(図示せず)によって取り付けることができる。シェル260は、フレーム206の保護用及び/又は装飾用のハウジングを備える。図15に示されるように、パン220は外向きのフランジ232を有する。フレーム206は、上部リム210を備えた直立壁208を有する。直立壁208は上方に開いたチャンバ218を画成する。底壁278はチャンバ218の下端部を閉じる。底壁278は、真空源に連結されるように適合された真空ポート280を含む。或いは、上述したように、真空ポートは側壁に設けられてもよい。パン220上のフランジ232は垂下するスカート254を有する。スカート254は外向きのビーズ268を有する。フレーム206及びパン220が組み立てられると、フランジ232及びスカート254は、フレーム206の上部リム210に接触する。シェル260がフレーム206に固定されると、フランジ232、スカート254、又はビーズ268のうちの少なくとも一つと共に気密シールが形成される。フレーム206は、溶接、接着、かしめ、摩擦嵌め、スナップ嵌め、又は、リベット、ピン、若しくはねじなどの締結具を必要に応じて含む他の任意の適切な取付け手段によって、シェル260に取り付けられてもよい。フレーム206は、パン220に対する真空の印加及び解除を容易にするため、フレームの内表面に1以上の真空チャネル282を含む。
【００３４】
好ましい構造形態で具体化されるものとして本発明について記載し例証してきたが、以下の特許請求の範囲に列挙される本発明の趣旨及び範囲から逸脱することなく、部品の構造及び配置構成を様々に修正してもよいことが理解されるであろう。
【図１】
0005914698.tif 000002
【図２】
0005914698.tif 000003
【図３】
0005914698.tif 000004
【図４Ａ】
0005914698.tif 000005
【図４Ｂ】
0005914698.tif 000006
【図４Ｃ】
0005914698.tif 000007
【図５】
0005914698.tif 000008
【図６】
0005914698.tif 000009
【図７】
0005914698.tif 000010
【図８】
0005914698.tif 000011
【図９】
0005914698.tif 000012
【図１０】
0005914698.tif 000013
【図１１】
0005914698.tif 000014
【図１２】
0005914698.tif 000015
【図１３】
0005914698.tif 000016
【図１４】
0005914698.tif 000017
【図１５】
0005914698.tif 000018